(57)【要約】【課題】  注出ポンプを柔軟な容器本体に装着して、操作部を押し下げたときにおける容器本体の変形を防止することができる注出ポンプの支持装置とそれを用いた注出ポンプと注出容器を提供する。【解決手段】  容器本体４０の注出ポンプ本体３０の吸い上げ管３２に固定した注出パイプ１に、下端部４が容器底部４３に当接する開脚可能な支持脚部材５を設けると共に、注出パイプ１の下端部６に伸縮可能に下端部２１が容器底部４３に当接して縮小位置を維持する底部注出管２０を設け、支持脚部材５に嵌合して開脚状態の支持脚部材５の上端部２を保持すると共に底部注出管２０の伸長位置では支持脚部材５を閉脚状態に保持するように前記底部注出管２０に脚部保持枠体２５を設けた注出ポンプの支持装置とそれを用いた注出ポンプと注出容器。【選択図】  図１
2015199541.tif 000002
【特許請求の範囲】
【請求項１】
容器本体の口部に着脱自在に取付可能に設けた注出ポンプ本体の吸い上げ管に密着固定可能な注出パイプと、注出パイプに伸縮可能に嵌合して容器本体の底部に下端部が当接して縮小位置を維持する底部注出管と、前記注出パイプに開閉脚可能に設けた複数個の支持脚部材と、注出パイプに対する底部注出管の伸長位置で支持脚部材を閉脚状態に保持し縮小位置で支持脚部材を開脚状態に保持する前記底部注出管に設けた脚部保持枠体とからなる注出ポンプの支持装置。
【請求項２】
複数個の個々の支持脚部材を個々の脚部保持枠体により保持してなる請求項１に記載の注出ポンプの支持装置。
【請求項３】
注出パイプと別体に設けた底部注出管を、注出パイプの先端部から延びる支持脚部材の先端部に底部注出管の脚部保持枠体を嵌合して組立てなる請求項１又は２に記載の注出ポンプの支持装置。
【請求項４】
底部注出管の上端部に縦方向に開口する複数個の縦割溝部とその縦割溝部を形成する複数個の縦枠部とを設け、底部注出管の伸長状態において、底部注出管の縦枠部が注出パイプの先端部に嵌合すると共に、底部注出管の縮小状態において、底部注出管の前記縦枠部が注出パイプの支持脚部材の基部の両側に位置することからなる請求項１、２又は３に記載の注出ポンプの支持装置。
【請求項５】
底部注出管の縮小状態において、脚部保持枠体により上端部を保持された保持脚部材が、上端部が小さく下端部が容器の底部に沿って大きく広がるほぼＳ字状の形状となることからなる請求項１乃至４のいずれか記載の注出ポンプの支持装置。
【請求項６】
底部注出管の伸長状態において、底部注出管の脚部保持枠体が注出パイプの支持脚部材の先端部に設けた係止突起に当接することからなる請求項１乃至５のいずれかに記載の注出ポンプの支持装置。
【請求項７】
隣り合う複数個の脚部保持枠体の外周部を一体に連結してなる請求項１乃至６のいずれか記載の注出ポンプの支持装置。
【請求項８】
請求項１乃至７のいずれかに記載の注出ポンプの支持装置を注出ポンプ本体の吸い上げ管に連結して設けた注出ポンプ。
【請求項９】
請求項８に記載の注出ポンプを取り付ける注出容器において、底部注出管を伸長した状態で容器口部から挿入し容器底部に底部注出管が当接することによって縮小位置において支持脚部材が容器底部に沿って拡張することからなる注出容器。
【請求項１０】
注出容器が、手で押し潰して減容化が可能な軟質素材からなる請求項９に記載の注出容器。
【発明の詳細な説明】
【技術分野】
【０００１】
本発明は、使用後に手で押し潰して減容が可能な柔軟な容器に好適な注出ポンプの支持装置とそれを用いた注出ポンプと注出容器に関する。
【背景技術】
【０００２】
従来、シャンプーやリンス、ハンドソープなどの液状物を取り出し可能に収容する容器として、口部を有する容器本体と、前記口部に着脱自在に取り付けた手動式の注出ポンプとを有し、容器本体から上方へ突出する注出ポンプの操作部を下方へ押し操作することで、容器本体に収容した内容物を操作部に設けた注出ノズルから吐出可能なポンプ付き注出容器は知られている。
【０００３】
特許文献１、２に記載のように、容器本体として、手で押し潰して減容が可能な薄肉の容器本体を用い、内容物を使い切った後は、容器本体から注出ポンプを取り外して、内容物が充填された詰め替え用の容器本体に該注出ポンプを取付け、空になった容器本体は押し潰して廃棄するように構成した注出ポンプ付き容器も提案されている。
【０００４】
特許文献１には、注出ポンプの吸い上げ管に、上方が管状で中間から下方が管を切り裂いて蛸足式に開脚した支持脚部材が設けてあり、特許文献２には、注出ポンプの吸い上げ管に設けた注出パイプの外周に前記特許文献１と同様な上方が管状で中間から下方が管を切り裂いて一部の足を除去した形の蛸足式に開脚した支持脚部材が設けてある。
【先行技術文献】
【特許文献】
【０００５】
【特許文献１】特開２０１２−１８４０３３号
【特許文献２】特開２００１−２１３４８９号
【発明の概要】
【発明が解決しようとする課題】
【０００６】
いずれの支持脚部材も管の下端部からそのまま下方に開脚して設けてあるため、脚部が華奢で脆弱であり、管状との連結部も管部から下方に滑らかに反って成形されているから、手で押し下げるポンプ操作時に撓んだり折れ曲がって、充分な支持力が得られない怖れがあった。また、プラスチック一体成形で蛸足状に製作するのも難しい課題があった。
【課題を解決するための手段】
【０００７】
そこで本発明は、特許請求の範囲の請求項１に記載のように、容器本体の口部に着脱自在に取付可能に設けた注出ポンプ本体の吸い上げ管に密着固定可能な注出パイプと、注出パイプに伸縮可能に嵌合して容器本体の底部に下端部が当接して縮小位置を維持する底部注出管と、前記注出パイプに開閉脚可能に設けた複数個の支持脚部材と、注出パイプに対する底部注出管の伸長位置で支持脚部材を閉脚状態に保持し縮小位置で支持脚部材を開脚状態に保持する前記底部注出管に設けた脚部保持枠体とからなる注出ポンプの支持装置を提供しようとするものである。
【０００８】
また、本発明は、請求項２に記載のように、複数個の個々の支持脚部材を個々の脚部保持枠体により保持してなる請求項１に記載の注出ポンプの支持装置を提供しようとするものである。
【０００９】
また、本発明は、請求項３に記載のように、注出パイプと別体に設けた底部注出管を、注出パイプの先端部から延びる支持脚部材の先端部に底部注出管の脚部保持枠体を嵌合して組立てなる請求項１又は２に記載の注出ポンプの支持装置を提供しようとするものである。
【００１０】
また、本発明は、請求項４に記載のように、底部注出管の上端部に縦方向に開口する複数個の縦割溝部とその縦割溝部を形成する複数個の縦枠部とを設け、底部注出管の伸長状態において、底部注出管の縦枠部が注出パイプの先端部に嵌合すると共に、底部注出管の縮小状態において、底部注出管の前記縦枠部が注出パイプの支持脚部材の基部の両側に位置することからなる請求項１、２又は３に記載の注出ポンプの支持装置を提供しようとするものである。
【００１１】
また、本発明は、請求項５に記載のように、底部注出管の縮小状態において、脚部保持枠体により上端部を保持された保持脚部材が、上端部が小さく下端部が容器の底部に沿って大きく広がるほぼＳ字状の形状となることからなる請求項１乃至４のいずれか記載の注出ポンプの支持装置を提供しようとするものである。
【００１２】
また、本発明は、請求項６に記載のように、底部注出管の伸長状態において、底部注出管の脚部保持枠体が注出パイプの支持脚部材の先端部に設けた係止突起に当接することからなる請求項１乃至５のいずれかに記載の注出ポンプの支持装置を提供しようとするものである。
【００１３】
また、本発明は、請求項７に記載のように、複数個の脚部保持枠体の外周部を一体に連結してなる請求項１乃至６のいずれか記載の注出ポンプの支持装置を提供しようとするものである。
【００１４】
また、本発明は、支持脚部材を有する注出パイプと、脚部保持枠体を有する底部注出管とが、別体に一体成形したプラスチック成形品からなり、両者を組み立ててなる請求項１乃至７のいずれか記載の注出ポンプの支持装置を提供しようとするものである。
【００１５】
また、本発明は、請求項８に記載のように、請求項１乃至７のいずれかに記載の注出ポンプの支持装置を注出ポンプ本体の吸い上げ管に連結した注出ポンプを提供しようとするものである。
【００１６】
また、本発明は、請求項８に記載の注出ポンプを着脱自在に取り付けた注出容器を提供しようとするものである。
【００１７】
また、本発明は、請求項９に記載のように、注出ポンプを取り付ける注出容器において、底部注出管を伸長した状態で容器口部から挿入し容器底部に底部注出管が当接することによって縮小位置において支持脚部材が容器底部に沿って拡張することからなる注出容器を提供しようとするものである。
【００１８】
また、本発明は、請求項１０に記載のように、注出容器が、自立可能で且つ手で押し潰して減容化が可能な軟質素材からなる請求項９に記載の注出容器を提供しようとするものである。
【００１９】
また、本発明は、容器の胴部を折り畳み可能な横断面多角の筒状に構成した請求項９又は１０に記載の注出容器を提供しようとするものである。
【００２０】
また、本発明は、容器胴部の断面が上側が狭く底部に行くに従って広く形成した請求項９又は１０に記載の注出容器を提供しようとするものである。
【発明の効果】
【００２１】
本発明に係る注出ポンプの支持装置によれば、特許請求の範囲の請求項１に記載のように、容器本体の口部に着脱自在に取付可能に設けた注出ポンプ本体の吸い上げ管に密着固定可能な注出パイプと、注出パイプに伸縮可能に嵌合して容器本体の底部に下端部が当接して縮小位置を維持する底部注出管と、前記注出パイプに開閉脚可能に設けた複数個の支持脚部材と、注出パイプに対する底部注出管の伸長位置で支持脚部材を閉脚状態に保持し縮小位置で支持脚部材を開脚状態に保持する前記底部注出管に設けた脚部保持枠体とからなる構成を有することにより、脚部保持枠体が支持脚部材に対して、底部注出管の伸長位置で支持脚部材を閉脚状態に保持すると共に、底部注出管の縮小位置で開脚状態の支持脚部材の上端部を保持することにより、注出ポンプ本体の吸い上げ管に上端部を密着固定した注出パイプ下端部の支持脚部材を、底部注出管の伸長位置で脚部保持枠体により閉脚状態に保持した状態で、容器口部に注出ポンプ本体を支持脚部材側から挿入し、底部注出管が容器底部に当接すると、脚部保持枠体が支持脚部材の上部に向かって移動し、支持脚部材の先端部側を開放し、支持脚部材は容器底部に当接し、底部注出管の縮小位置において、脚部保持枠体が更に開脚しようとする支持脚部材の上端部を保持することにより、脚部保持枠体が支持支点として開脚しようとする支持脚部材の上端部を強固に保持し、支持脚部材に容器底部に接する強い支持力を与えることができる効果がある。
【００２２】
また、上記本発明に係る注出ポンプの支持装置によれば、注出パイプに上端部を固定して立ち上げて中間部が底部注出管に沿って底部方向に延びて下端部が容器本体の底部に当接する開脚可能な複数個の支持脚部材は、注出パイプに上端部を一体的に強固に固定して設けて、支持脚部材の撓みを利用して脚部保持枠体によって開脚状態及び閉脚状態にのすることができる一方、注出パイプに上端部をヒンジ連結によって支持脚部材を開脚及び閉脚可能に連結した強靱な支持脚部材を脚部保持枠体によって開脚状態及び閉脚状態に保持することもできる効果がある。
【００２３】
また、上記本発明によれば、支持脚部材が伸長した底部注出管の脚部保持枠体によって閉脚状態に保持され、底部注出管が容器底部に当接してから開脚する構成を有することにより、自然状態で復帰弾力的に開脚する従来の支持脚部材が容器口部を通過すると同時に開脚して口部付近の容器壁に引っかかる怖れがあり、広い空間の容器肩部を要するのに比較して、本発明の支持装置は、狭い肩部の容器にも、又、奥行きの深い容器にも使用することができる効果がある。
【００２４】
また、本発明は、請求項２に記載のように、複数個の個々の支持脚部材を個々の脚部保持枠体により保持してなる請求項１に記載の注出ポンプの支持装置の構成を有することにより、個々の支持脚部材を個々の脚部保持枠体により強固に安定して保持することができる効果がある。
【００２５】
また、本発明は、請求項３に記載のように、注出パイプと別体に設けた底部注出管を、注出パイプの先端部から延びる支持脚部材の先端部に底部注出管の脚部保持枠体を嵌合して組立てなる請求項１又は２に記載の注出ポンプの支持装置の構成を有することにより、構造が簡素で製作と組立が容易にできる効果がある。
【００２６】
また、本発明に係る注出ポンプの支持装置は、請求項４に記載のように、底部注出管の上端部に縦方向に開口する複数個の縦割溝部とその縦割溝部を形成する複数個の縦枠部とを設け、底部注出管の伸長状態において、底部注出管の縦枠部が注出パイプの先端部に嵌合すると共に、底部注出管の縮小状態において、底部注出管の前記縦枠部が注出パイプの支持脚部材の基部の両側に位置する構成を有することにより、底部注出管の伸長状態において、底部注出管の縦枠部が注出パイプの下端部に嵌合することから、底部注出管の伸長状態において、縦枠部によって注出パイプの下端部に底部注出管を伸長状態で安定して保持することができる効果があると共に、底部注出管の縮小状態において、底部注出管の縦枠部が注出パイプの支持脚部材の基部の両側に位置して、支持脚部材を基部から曲がらないように保護する効果がある。
【００２７】
また、本発明に係る注出ポンプの支持装置は、請求項５に記載のように、底部注出管の縮小状態において、脚部保持枠体により上端部を保持された保持脚部材が、上端部が小さく下端部が容器の底部に沿って大きく広がるほぼＳ字状の形状となる構成を有することにより、注出パイプの太さに比較して広い底面を持つ容器を支持することができる効果がある。
【００２８】
また、本発明は、請求項６に記載のように、底部注出管の伸長状態において、底部注出管の脚部保持枠体が注出パイプの支持脚部材の先端部に設けた係止突起に当接する構成を有するから、伸長方向に引張力が作用した場合に注出パイプから底部注出管が抜け落ちるのを防止することができる効果がある。
【００２９】
また、本発明は、請求項７に記載のように、隣り合う複数個の脚部保持枠体の外周部を一体に連結してなる構成を有するから、着脱時などに個々に突出した脚部保持枠体が容器口部などに引っかからないようにすることができる効果がある。
【００３０】
また、本発明は、支持脚部材を有する注出パイプと、脚部保持枠体を有する底部注出管とが、別体に一体成形したプラスチック成形品からなり、両者を一体に組み立ててなる構成を有することにより、成形及び組立を容易にする効果がある。
【００３１】
また、本発明に係る注出ポンプによれば、請求項８に記載のように、請求項１乃至７のいずれかに記載の注出ポンプの支持装置を注出ポンプ本体の吸い上げ管に一体に設けた構成を有することにより、請求項１乃至７のいずれかに記載の注出ポンプの支持装置の効果を有する注出ポンプを提供することができる。
【００３２】
また、本発明は、請求項８に記載の注出ポンプを着脱自在に取り付ける注出容器を提供することができる効果がある。
【００３３】
また、本発明は、請求項９に記載のように、注出ポンプを取り付ける注出容器において、底部注出管を伸長した状態で容器口部から挿入し容器底部に底部注出管が当接することによって徐々に縮小位置に近づきながら支持脚部材が容器底部に沿って拡張することからなる装着しやすい注出容器を提供する効果がある。
【００３４】
また、本発明は、請求項１０に記載のように、注出容器が、押し潰して減容化が可能な軟質素材からなる請求項９に記載の注出容器を提供する効果がある。
【００３５】
また、本発明は、容器の胴部を折り畳み可能な横断面多角の筒状に構成した請求項９又は１０に記載の注出容器を提供する効果がある。
【００３６】
また、本発明は、容器胴部の断面が上側が狭く底部に行くに従って広く形成した請求項９又は１０に記載の注出容器を提供する効果がある。
【図面の簡単な説明】
【００３７】
【図１】本発明の一実施例の要部を縦断して示す概略正面図。
【図２】その一実施例の要部を縦断して示す他の使用態様における概略正面図。
【図３】その一実施例の要部の一使用態様を示す概略斜視図。
【図４】その一実施例の要部の他の使用態様を示す概略斜視図。
【図５】その一実施例の要部の組立方法を示す概略説明図。
【図６】その一実施例の全体的な構成を使用方法と共に示す概略斜視図。
【図７】その一実施例の使用状態を示す概略説明図。
【図８】その他の一実施例の使用状態を示す概略説明図。
【図９】本発明の他の一実施例の要部を縦断して示す概略正面図。
【図１０】その一実施例の要部を縦断して示す他の使用態様における概略正面図。
【図１１】その一実施例の要部の一使用態様を示す概略斜視図。
【図１２】その要部の他の使用態様を示す概略斜視図。
【図１３】その一実施例の全体的な構成を使用方法と共に示す概略斜視図。
【図１４】その一実施例の使用状態を示す概略説明図。
【発明を実施するための形態】
【００３８】
以下図示する実施例に基づいて本発明を説明する。
【実施例１】
【００３９】
図示の実施例において、本発明に係る注出ポンプの支持装置１０によれば、図６又は図７に記載のように、容器本体４０の口部４１の雄ネジ部４２に、注出ポンプ本体３０の雌ネジ部を内側に有する取付キャップ３１を着脱自在に螺合して、容器本体４０に注出ポンプ本体３０は取付られる。３４は吐出口３６を有する押し下げ用のポンプ操作部、３５はポンプ部である。４４は容器本体４０の口部取付部材である。
【００４０】
図１に記載のように、注出パイプ１は注出ポンプ本体３０の吸い上げ管３２に上端部を嵌着し密着固定してある。図１において、３３は吸い上げ管３２の下端部で、その下に設けた吸い上げチューブ３７を介して注出パイプ１と連通している。注出パイプ１の下端部には、上下に伸縮可能に外接する底部注出管２０が設けてある。図１、図３又は図７に記載のように、取付状態時に、底部注出管２０はその下端部２１が容器本体４０の底部４３に当接して縮小位置を維持するように構成してある。
【００４１】
ここで、注出パイプ１に伸縮可能に外接して容器本体４０の底部４３に下端部が当接して縮小位置を維持する底部注出管２０の前記縮小位置とは、容器本体４０の口部に装着した注出ポンプ本体３０の吸い上げ管３２に設けた注出パイプ１に伸縮可能に設けた底部注出管２０の下端部２１が、容器底部４３に当接した状態における底部注出管２０が注出パイプ１に対して最も縮小した縮小位置のことである。この縮小位置において、底部注出管２０の内径を絞った下端部２１がストッパーとして注出パイプ１の下端部６に当接して縮小を阻止する構成にすることも可能である。
【００４２】
図３又は図７に記載のように、底部注出管２０の上端部には、縦方向に上に向かって開口する複数個の縦割溝部２２と、縦割溝部２２を形成する複数個の縦枠部２３とが設けてある。注出パイプ１には、底部注出管２０の縮小位置において、底部注出管２０の前記縦割溝部２２内に位置して、上端部２を固定して立ち上げて中間部３が底部注出管２０に沿って底部方向に延びて下端部４が容器本体４０の底部４３に当接する開脚可能な複数個の支持脚部材５が設けてある。
【００４３】
底部注出管２０の縮小位置において、底部注出管２０の縦枠部２３が注出パイプ１の支持脚部材５の基部である上端部２の両側に当接し挟持する場合には、支持脚部材５を基部から曲がらないように保護する効果がある。
また、底部注出管２０の伸長位置において、図２に示すように、底部注出管２０の上端部の縦枠部２３は注出パイプ１の下端部６の外周に嵌合し、底部注出管２０を伸長状態を安定して保持することができるように構成してある。
【００４４】
図２に記載のように、前記底部注出管２０の縦割溝部２２の底部２４付近には中央に保持枠孔２６を有する脚部保持枠体２５が突設してあり、保持枠孔２６は支持脚部材５の周囲に摺動自在に嵌合して支持脚部材５の姿勢を拘束保持している。脚部保持枠体２５は、底部注出管２０と共に上下に移動し、図１、図３又は図７に記載のように、底部注出管２０の縮小位置で開脚状態の支持脚部材５の上端部２付近を保持すると共に、図２、図４又は図６に記載のように、底部注出管２０の伸長位置で支持脚部材５の下端部４付近を閉脚状態に保持するように構成してある。なお、この開脚状態の支持脚部材５の上端部２付近を保持することによって、底部注出管２０は注出パイプ１に対して縮小位置を維持することが可能である。
【００４５】
図示の実施例の場合、複数個の脚部保持枠体２５の外周部は環状枠部２７によって連結してあり、着脱時などに脚部保持枠体２５が個々に突出して容器口部３１などに引っかからないように構成してある。
また、底部注出管２０の伸長状態において、底部注出管２０の脚部保持枠体２５の保持枠孔２６の内周部が注出パイプ１の支持脚部材５の先端部４に設けた係止突起７に当接し掛け止めしており、底部注出管２０に引張力が作用しても注出パイプ１から抜け落ちるのを防止している。
【００４６】
なお、実施例の場合、注出パイプ１と底部注出管２０とはプラスチック一体成型品として別体に製作され、図５に示すように、底部注出管２０の上端部に位置する脚部保持枠体２５の保持枠孔２６に、注出パイプ１の側面から先端部６の先に延びる支持脚部材５の先端部４を閉脚状態にして上方から差し込んで嵌合して組立てることができる。この場合、前記支持脚部材５の先端部４に設けた係止突起７は、挿入時に滑らかに差し込めるように逆止め突起となっている。
【００４７】
上記の構成からなる注出パイプ１の支持装置１０は、図６に記載のように、注出ポンプ本体３０の吸い上げ管３２に注出パイプ１の上端部８を密着固定し、注出パイプ１の下端部６において、支持脚部材５を底部注出管２０の伸長位置で脚部保持枠体２５により閉脚状態に保持した状態で、容器口部３１に注出ポンプ本体３０を支持脚部材５側から挿入して装着することとなる。
【００４８】
このとき、底部注出管２０が容器底部４３に当接すると支持装置１０は縮小を開始し、脚部保持枠体２５が支持脚部材５の上部に向かって移動し、支持脚部材５の先端部４側の開放を開始し、底部注出管２０が支持脚部材５の中間部３を越えて縮小すると、支持脚部材５の先端部４は容器底部４３に当接して開脚を開始し、底部注出管２０の縮小位置で、脚部保持枠体２５が開脚しようとする支持脚部材５の上端部４を保持することとなる。
【００４９】
注出ポンプ本体３０が柔軟な袋体からなる容器本体４０に装着された図１又は図７の状態で、ポンプ操作部３４を押し下げると、その力は、吸い上げ管３２と一体な注出パイプ１から底部注出管２０に伝達されその底部２１と支持脚部材５によって支持されることとなる。
そのとき、脚部保持枠体２５が支持支点として開脚しようとする支持脚部材５の上端部２を保持するから、支持脚部材５に容器底部４３に接する強い支持力を与えることができることとなる。
すなわち、支持脚部材５は、容器本体４０の底面および下部側面に当接することにより自立性を担保している。
【００５０】
また、注出パイプ１に上端部２を固定して立ち上げて中間部３が底部注出管２０に沿って底部方向に延びて下端部４が容器本体４０の底部４３に当接する頭の小さいＳ字状に開脚可能な複数個の支持脚部材５は、上端部を脚保持枠体２５に保持されることによって、先端部４を撓みを利用して弾力的に容器底部４３に圧着することができる。
【００５１】
また、支持脚部材５は注出パイプ１に上端部２を一体的に強固に固定して設けることによって強化される一方、図では省略したが、注出パイプ１に上端部２をヒンジ連結によって支持脚部材５を開脚及び閉脚可能に連結したとしても、脚部保持枠体２５によって開脚状態において弾性変形可能な強靱な支持脚部材５を容器底部に４３に押しつけることができることとなる。
【００５２】
また、本発明の支持脚部材５が容器底部４３に当接してから開脚する構成を有するから、自然状態で復帰弾力的に開脚する従来の支持脚部材が容器口部を通過すると同時に開脚して口部付近の容器壁に引っかかる怖れがなく、広い空間の容器肩部を必要とするのに比較して、狭い肩部の容器にも、又、奥行きの深い容器にも使用することができる。
【００５３】
また、注出容器本体４０は、自立可能で且つ手で押し潰して減容化が可能な軟質素材からなる容器を使用することができ、容器本体４０の胴部を折り畳み可能な横断面多角の筒状に構成した容器も使用可能であり、また、容器胴部の断面が上側が狭く底部に行くに従って広く形成した容器を使用することができる。
【００５４】
なお、注出ポンプ本体３０を容器本体４０の口部４１から取り外すときには、支持脚部材５が開脚していても口部４１によって閉脚されてそのまま離脱することができ、この場合、離脱後に底部注出管２０を下方に伸長させて開脚保持部材５により支持脚部材５を閉脚させれば、図６に記載の状況で再度充填済みの容器本体４０に装着することができる。
【実施例２】
【００５５】
図８に記載の実施例は、支持脚部材５が上端部２から中間部３と下端部４が直線的に伸びるタイプのものを示してある。図は支持脚部材５の先端部４が容器底部４３に接する位置まで底部注出管２０が縮小した状態を示し、ここから取付キャップ３１を締め付けていくと、支持脚部材５は脚部保持枠体２５に上端部２を保持されて反り返り、先端部４が容器底部４３に圧接して強い支持力を獲得することとなる。なお、他の構成は実施例１と同じなので、同じ符号を付して説明は省略する。
【実施例３】
【００５６】
図９乃至図１４に記載の実施例３において、本発明に係る注出パイプ１０１の支持装置１１０は、図９又は図１３に記載のように、容器本体１４０の口部１４１に着脱自在に取付可能な注出ポンプ本体１３０の吸い上げ管１３２の下端部に一体に取り付けられている。注出ポンプ本体１３０は、注出ポンプ本体１３０の取付キャップ１３１の内側の雌ネジ部を、容器本体１４０の口部１４１の雄ネジ部１４２に着脱自在に螺合することによって、容器本体１４０に取付られる。１３４は吐出口１３６を有する押し下げ用のポンプ操作部、１３５はポンプ部である。１４３は容器本体１４０の底部、１４４は容器本体４０の口部取付部材である。
【００５７】
図９に記載のように、注出パイプ１０１は、注出ポンプ本体１３０の吸い上げ管１３２の下端部の細身の連結管部１３３に、上端部１０８を嵌着し密着固定してある。図９において、連結管部１３３の外周には連結凸部１３７が設けてあり、これに図１０で示す注出パイプ１０１の上端部１０８の内周に設けた連結凹部１０９が嵌着するように構成してある。
注出パイプ１０１の下側部には、上下に伸縮可能に外接する底部注出管１２０が設けてある。図９又は図１４に記載のように、容器本体１４０に注出ポンプ本体１３０を取付けた状態時に、底部注出管１２０はその下端部１２１が容器本体１４０の底部１４３に当接して縮小位置を維持するように構成してある。１２４は底部注出管１２０の下端部に設けた３吸水穴、１３８は注水パイプ１０１の下端部に設けた吸水穴である。
【００５８】
ここで、注出パイプ１０１に伸縮可能に外接して容器本体１４０の底部１４３に下端部が当接して縮小位置を維持している底部注出管１２０の前記縮小位置とは、容器本体１４０の口部１４１に装着した注出ポンプ本体１３０の吸い上げ管１３２に設けた注出パイプ１０１に伸縮可能に設けた底部注出管１２０の下端部１２１が、容器底部１４３に当接した状態における注出パイプ１０１に対して最も縮小した縮小位置のことである。
この実施例の場合、縮小位置において、底部注出管１２０の上端部１２２が注出パイプ１０１の上部に設けたストッパー段部１２３に当接して縮小を阻止する構成にしてある。なお、この縮小位置において、底部注出管１２０の下端部１２１が注出パイプ１０１の下端部１０６に当接して縮小を阻止する構成にすることも可能である。
【００５９】
図に記載のように、注出パイプ１０１の上端部１０８には、下端部１０４が容器本体１４０の底部１４３に当接して開脚可能な複数個の支持脚部材１０５が設けてある。支持脚部材１０５の上端部１０２は注出パイプ１０１の上端部１０８に円盤状に一体に設けた肩枠１０３に放射状に一体に設けてあり、その中間部が注出パイプ１０１又は底部注出管１２０に沿って容器底部１４３方向に延びて、前述のように下端部１０４が容器本体１４０の底部１４３に開脚して当接するように構成してある。
【００６０】
他方、図に記載のように、底部注出管１２０の上端部１２２の外周には、支持脚部材１０５の肩枠１０３の下方に位置して、脚部保持枠体１２５が一体に突設してある。脚保持枠体１２５には、支持脚部材１０５が個々に摺動自在に嵌合して支持脚部材１０５の姿勢を拘束保持している保持枠孔１２６が設けてある。
脚部保持枠体１２５は、底部注出管１２０と共に上下に移動し、図９、図１１又は図１４に記載のように、底部注出管１２０の縮小位置で開脚状態の支持脚部材１０５の上端部１０２付近を保持すると共に、図１０、図１２又は図１３に記載のように、底部注出管１２０の伸長位置で支持脚部材１０５の下端部１０４付近を閉脚状態に保持するように構成してある。なお、この開脚状態の支持脚部材１０５の上端部１０２付近を保持することによって、底部注出管１２０は注出パイプ１０１に対して縮小位置を維持することが可能である。
【００６１】
また、底部注出管１２０の伸長状態において、底部注出管１２０の脚部保持枠体１２５の保持枠孔１２６の内周部が注出パイプ１０１の支持脚部材１０５の先端部１０４の上方に設けた係止突起１０７に当接し掛け止めしており、底部注出管１２０に引張力が作用しても、脚部保持枠体１２５が支持脚部材１０５から抜けたり、底部注出管１２０が注出パイプ１から抜け落ちるのを防止している。この閉脚状態の支持脚部材１０５の下端部１０４付近を脚部保持枠体１２５の保持枠孔１２６が保持することによって、底部注出管１２０は注出パイプ１０１に対して伸長位置を維持することが可能である。
【００６２】
なお、実施例の場合、注出パイプ１０５と底部注出管１２０とはプラスチック一体成型品として別体に製作され、図１０又は図１２に示すように、底部注出管１２０の上端部に位置する脚部保持枠体１２５のそれぞれの保持枠孔１２６に、注出パイプ１０１の側面から先端部１０６の先に延びる支持脚部材１０５のそれぞれの先端部１０４を閉脚状態にして上方から差し込んで注出パイプ１０５と底部注出管１２０を嵌合して組立てることができる。この場合、前記支持脚部材１０５の先端部１０４に設けた係止突起１０７は、挿入時に滑らかに差し込めるように逆止め突起となっている。
【００６３】
上記の構成からなる注出パイプ１０１の支持装置１１０は、図１３に記載のように、注出ポンプ本体１３０の吸い上げ管１３２に注出パイプ１０１の上端部１０８を密着固定し、注出パイプ１０１の下端部１０６において、支持脚部材１０５を底部注出管１２０の伸長位置で脚部保持枠体１２５により閉脚状態に保持した状態で、容器口部１３１に注出ポンプ本体１３０を支持脚部材１０５側から挿入して装着することとなる。
【００６４】
このとき、底部注出管１２０が容器底部１４３に当接すると支持装置１１０は縮小を開始し、脚部保持枠体１２５が支持脚部材１０５の上部に向かって移動し、支持脚部材１０５の先端部１０４側の開放を開始し、底部注出管１２０が支持脚部材１０５の先端部１０４を越えて縮小すると、支持脚部材１０５の先端部１０４は容器底部１４３に当接して開脚を開始し、底部注出管１２０の縮小位置で、脚部保持枠体１２５が開脚しようとする支持脚部材１０５の上端部１０２を保持しようとすることとなる。
【００６５】
注出ポンプ本体１３０が柔軟な袋体からなる容器本体１４０に装着された図９又は図１４の状態で、ポンプ操作部１３４を押し下げると、その力は、吸い上げ管１３２と一体な注出パイプ１０１から底部注出管１２０に伝達されその下端部１２１と支持脚部材１０５によって支持されることとなる。
そのとき、脚部保持枠体１２５が開脚しようとする支持脚部材１０５の上端部１０２を支持支点として保持するから、支持脚部材１０５に容器底部１４３に接する強い支持力を与えることができることとなる。
【００６６】
また、注出パイプ１０１に上端部１０２を固定して立ち上げて中間部が底部注出管１２０に沿って容器底部方向に延びて下端部１０４が容器本体１４０の底部１４３に当接する頭の小さいＳ字状に開脚可能な複数個の支持脚部材１０５は、上端部を脚保持枠体１２５に保持されることによって、先端部１０４の撓みを利用して弾力的に容器底部１４３に圧着することができる。
【００６７】
また、支持脚部材１０５は注出パイプ１０１に上端部１０２を一体的に強固に固定して設けることによって強化される一方、図では省略したが、注出パイプ１０１に上端部１０２をヒンジ連結によって支持脚部材１０５を開脚及び閉脚可能に連結したとしても、脚部保持枠体１２５によって開脚状態において弾性変形可能な強靱な支持脚部材１０５を容器底部に１４３に押しつけることができることとなる。
【００６８】
また、本発明の支持脚部材１０５が容器底部１４３に当接してから開脚する構成を有するから、自然状態で復帰弾力的に開脚する従来の支持脚部材が容器口部を通過すると同時に開脚して口部付近の容器壁に引っかかる怖れがなく、広い空間の容器肩部を必要とするのに比較して、狭い肩部の容器にも、又、奥行きの深い容器にも使用することができる。
【００６９】
また、注出容器本体１４０は、自立可能で且つ手で押し潰して減容化が可能な軟質素材からなる容器を使用することができ、容器本体１４０の胴部を折り畳み可能な横断面多角の筒状に構成した容器も使用可能であり、また、容器胴部の断面が上側が狭く底部に行くに従って広く形成した容器を使用することができる。
【００７０】
なお、注出ポンプ本体１３０を容器本体１４０の口部１４１から取り外すときには、支持脚部材１０５が開脚していても口部１４１によって閉脚されてそのまま離脱することができ、この場合、離脱後に底部注出管１２０を下方に伸長させて脚部保持枠体１２５により支持脚部材１０５を閉脚させれば、図１３に記載の状況で再度充填済みの容器本体１４０に装着することができる。
【符号の説明】
【００７１】
１        注出パイプ
２        支持脚部材上端部
３        支持脚部材中間部
４        支持脚部材下間部
５        支持脚部材
６        注出パイプ下端部
７        係止突起
８        注出パイプ上端部
１０      支持装置
２０      底部注出管
２１      底部注出管下端部
２２      縦割溝
２３      縦枠部
２４      縦割溝部底部
２５      脚部保持枠部
２６      保持枠孔
２７      環状枠部
３０      注出ポンプ本体
３１      取付キャップ
３２      吸い上げ管
３３      吸い上げ管下端部
３４      ポンプ操作部
３５      ポンプ部
３６      吐出口
３７      吸い上げチューブ
４０      容器本体
４１      口部
４２      雄ネジ部
４３      底部
４４      口部取付部材
１０１    注出パイプ
１０２    支持脚部材上端部
１０３    肩枠部
１０４    支持脚部材下端部
１０５    支持脚部材
１０６    注出パイプ下端部
１０７    連結凹部
１０８    注出パイプ上端部
１０９    連結凹部
１１０    支持装置
１２０    底部注出管
１２１    底部注出管下端部
１２２    底部注出管上端部
１２３    ストッパー段部
１２４    吸水穴
１２５    脚部保持枠体
１２６    保持枠孔
１２７    環状枠部
１３０    注出ポンプ本体
１３１    取付キャップ
１３２    吸い上げ管
１３３    吸い上げ管下端部
１３４    ポンプ操作部
１３５    ポンプ部
１３６    吐出口
１３７    連結凸部
１３８    吸水穴
１４０    容器本体
１４１    口部
１４２    雄ネジ部
１４３    底部
１４４    口部取付部材
【図１】
2015199541.tif 000003
【図２】
2015199541.tif 000004
【図３】
2015199541.tif 000005
【図４】
2015199541.tif 000006
【図５】
2015199541.tif 000007
【図６】
2015199541.tif 000008
【図７】
2015199541.tif 000009
【図８】
2015199541.tif 000010
【図９】
2015199541.tif 000011
【図１０】
2015199541.tif 000012
【図１１】
2015199541.tif 000013
【図１２】
2015199541.tif 000014
【図１３】
2015199541.tif 000015
【図１４】
2015199541.tif 000016